(57)【要約】照明装置において輝度むらを抑えることを目的とする。本発明に係る照明装置は、中心線Ｌｃから等距離にあって投光軸Ｃを向かい合わせて配置されたＬＥＤ４５の対からなる光源対Ｐを、前記中心線Ｌｃに沿って複数組配置してなる光源装置Ｕと、前記各光源対Ｐに対応して個々に設けられると共に、長手方向の両端面Ｅを前記ＬＥＤ４５に向かい合わせるようにして前記光源対Ｐの間に配置された複数の導光ブロック３１〜３５と、前記光源装置Ｕと前記複数の導光ブッロク３１〜３５とを収容するシャーシ６０と、前記各導光ブロック３１〜３５の長手方向の中央部を前記中心線Ｌｃ上に位置決めする位置決め部Ｓとを備える。
2011086789.tif 000002
【特許請求の範囲】
【請求項１】
中心線から等距離にあって投光軸を向かい合わせて配置された点状光源の対からなる光源対を、前記中心線に沿って複数組配置してなる光源装置と、
前記各光源対に対応して個々に設けられると共に、長手方向の両端面を前記点状光源に向かい合わせるようにして前記光源対の間に配置された複数の導光部材と、
前記光源装置と前記複数の導光部材とを収容する収容体と、
前記各導光部材の長手方向の中央部を前記中心線上に位置決めする位置決め部とを備える照明装置。
【請求項２】
前記位置決め部は、前記収容体又は前記導光部材のいずれか一方に設けられた突部と、他方側に設けられ前記突部を嵌合させる受け部と、からなる請求項１に記載の照明装置。
【請求項３】
前記位置決め部は、前記導光部材の前記中央部であって、前記点状光源の正面を避けた位置に設けられている請求項１又は請求項２に記載の照明装置。
【請求項４】
中心線から等距離にあって向かい合わせて配置された光源の対からなる光源対を、前記中心線に沿って配置してなる光源装置と、
長手方向の両端面を前記光源に向かい合わせるようにして前記光源対の間に配置された単一枚の導光板と、
前記光源装置と前記導光板とを収容する収容体と、
前記導光板の長手方向の中央部を前記中心線上に位置決めする位置決め部とを備える照明装置。
【請求項５】
前記位置決め部は、前記収容体又は前記導光板のいずれか一方に設けられた突部と、他方側に設けられ前記突部を嵌合させる受け部と、からなる請求項４に記載の照明装置。
【請求項６】
前記光源は、点状光源である請求項４又は請求項５に記載の照明装置。
【請求項７】
前記光源装置は、前記中心線に平行に延びる基板上に、前記光源対を構成する前記点状光源を一列状に配置した点状光源アレイである請求項１、請求項２、請求項３、請求項６のいずれか一項に記載の照明装置。
【請求項８】
前記点状光源アレイは、前記収容体に取り付けられている請求項７に記載の照明装置。
【請求項９】
前記基板上には、前記点状光源の光を反射させる反射部材が設けられている請求項７又は請求項８に記載の照明装置。
【請求項１０】
前記反射部材は、発泡ＰＥＴ反射シートであることを特徴とする請求項９に記載の照明装置。
【請求項１１】
前記反射部材は、多層膜反射シートであることを特徴とする請求項９に記載の照明装置。
【請求項１２】
前記反射部材は、光を反射するレジストであることを特徴とする請求項９に記載の照明装置。
【請求項１３】
前記点状光源は、白色発光ダイオードである請求項１、請求項２、請求項３、請求項６、請求項７、請求項８、請求項９、請求項１０、請求項１１、請求項１２のいずれか1項に記載の照明装置。
【請求項１４】
前記白色発光ダイオードは、青色に発光する発光チップと、前記発光チップの周囲に形成され黄色の領域に発光ピークを持つ蛍光体層と、を含む請求項１３に記載の照明装置。
【請求項１５】
前記白色発光ダイオードは、青色に発光する発光チップと、前記発光チップの周囲に形成され緑色の領域と赤色の領域にそれぞれ発光ピークを持つ蛍光体層と、を含む請求項１３に記載の照明装置。
【請求項１６】
前記白色発光ダイオードは、青色に発光する発光チップと、前記発光チップの周囲に形成され緑色の領域に発光ピークを持つ蛍光体層と、赤色に発光する発光チップと、を含む請求項１３に記載の照明装置。
【請求項１７】
前記白色発光ダイオードは、青色に発光する発光チップと、緑色に発光する発光チップと、赤色に発光する発光チップと、を含む請求項１３に記載の照明装置。
【請求項１８】
前記白色発光ダイオードは、紫外光を発光する発光チップと、前記発光チップの周期に形成され青色の領域と緑色の領域と赤色の領域にそれぞれ発光ピークを持つ蛍光体層と、を含む請求項１３に記載の照明装置。
【請求項１９】
請求項１ないし請求項１８のいずれか一項に記載の照明装置と、
前記照明装置からの光を利用して表示を行う液晶表示パネルと、を備える表示装置。
【請求項２０】
請求項４ないし請求項６のいずれか一項に記載の照明装置と、
前記照明装置からの光を利用して表示を行う液晶表示パネルと、を備え、
前記位置決め部は、前記導光板の前記中央部であって、前記液晶表示パネルの表示領域の外側に設けられている表示装置。
【請求項２１】
請求項１９又は請求項２０に記載の表示装置を備えるテレビ受信装置。
【発明の詳細な説明】
【技術分野】
【０００１】
本発明は、照明装置、表示装置、テレビ受信装置に関する。
【背景技術】
【０００２】
液晶パネルなどの表示装置は、動画を表示させる際に、画像が尾を引く現象を起こすことがある。下記特許文献１には、液晶パネル側の画像書き込み位置と同期をとって光源側を点灯させるバックライトスキャンを実行させることにより、画像の尾引き現象を抑えるようにした技術が開示されている。バックライトスキャンを実行するには、各チャンネルを構成する光源ごとに、導光板を設ける必要があり、導光板を複数のブロックに分割している。
【先行技術文献】
【特許文献】
【０００３】
【特許文献１】特開２００１−９２３７０号公報
【０００４】
（発明が解決しようとする課題）
ところで、光源の発熱により導光板を構成する各ブロックは熱収縮を起こすから、光源と各ブロックとの間には隙間を設けなければならない。しかし、隙間があると、各ブッロクＢＫの位置が定まらず、図１５に示すように、一部のブッロクＢＫ１、ＢＫ３、ＢＫ５は図中左側に寄り、一部のブロックＢＫ２、ＢＫ４は図中の右側に寄る。すると、ブロックＢＫが左側に寄ったところ（ＢＫ１、ＢＫ３、ＢＫ５）では、光源Ｈに近くなる左側が明るくなり、光源Ｈに遠くなる右側が暗くなる。また、ブロックＢＫが右側に寄ったところ（ＢＫ２、ＢＫ４）では、上記とは逆に、光源Ｈに近くなる右側が明るくなり、光源Ｈに遠くなる左側が暗くなる。従って、各ブロックＢＫ１〜ＢＫ５間で明暗がばらばらになり、輝度むらが出来てしまう。尚、この種の輝度むら（左右で明暗が出来る輝度むら）は、導光板が分割されていない構造の場合にも、生じ得る。
【発明の概要】
【０００５】
本発明は上記のような事情に基づいて完成されたものであって、照明装置の輝度むらを抑えることを目的とする。
【０００６】
（課題を解決するための手段）
本発明の照明装置（第一の照明装置）は、中心線から等距離にあって投光軸を向かい合わせて配置された点状光源の対からなる光源対を、前記中心線に沿って複数組配置してなる光源装置と、前記各光源対に対応して個々に設けられると共に、長手方向の両端面を前記点状光源に向かい合わせるようにして前記光源対の間に配置された複数の導光部材と、前記光源装置と前記複数の導光部材とを収容する収容体と、前記各導光部材の長手方向の中央部を前記中心線上に位置決めする位置決め部とを備える。
【０００７】
上記の照明装置によると、光源対の中間位置にあたる中心線上に、導光部材の長手方向の中央部を位置決めする構成としてある。そのため、点状光源から導光部材の端面までの距離が、左右両側で同じ距離になる。しかも、光源の発熱に伴い導光部材は熱収縮するが、位置決めした中央部を境にした左右両側が同じように収縮するから、光源から端面までの距離は、左右両側で不均一にならず、常に同じ距離に保たれる。そのため、光源を点灯させたときに、各導光部材は、中心線を境にした左右両側が常に均一に発光することとなり、輝度むらを生じさせない。
【０００８】
本発明の照明装置（第一の照明装置）の実施態様として、次の構成が好ましい。
・前記位置決め部は、前記収容体又は前記導光部材のいずれか一方に設けられた突部と、他方側に設けられ前記突部を嵌合させる受け部と、からなる。このようにすれば、突部を受け部に嵌合させるだけで導光部材の位置が決まるので、位置決め作業を手間なく簡単に行うことが出来る。また、部品点数が増えないので、コストメリットが高い。
【０００９】
・前記位置決め部を、前記導光部材の前記中央部であって、前記点状光源の正面を避けた位置に設けるようにする。このような構成であれば、投光軸上から位置決め部が外れる。位置決め部では、それがない場合に比べて、光の反射具合が少なからず変わるから、仮に、位置決め部を投光軸上に設けておくと、その影響が無視できなくなり、照明の性能に影響を与える恐れがあるが、本構成であれば、そのような心配がない。
【００１０】
本発明の照明装置（第二の照明装置）は、中心線から等距離にあって向かい合わせて配置された光源の対からなる光源対を、前記中心線に沿って配置してなる光源装置と、長手方向の両端面を前記光源に向かい合わせるようにして前記光源対の間に配置された単一枚の導光板と、前記光源装置と前記導光板とを収容する収容体と、前記導光板の長手方向の中央部を前記中心線上に位置決めする位置決め部とを備える。
【００１１】
上記の照明装置によると、光源対の中間位置にあたる中心線上に、導光板の長手方向の中央部を位置決めする構成としてある。そのため、光源から導光板の端面までの距離が、左右両側で同じ距離になる。しかも、光源の発熱に伴い導光板は熱収縮するが、位置決めした中央部を境にした左右両側が同じように収縮するから、光源から端面までの距離は、左右両側で不均一にならず、常に同じ距離に保たれる。そのため、光源を点灯させたときに、導光板は、中心線を境にした左右両側が常に均一に発光することとなり、輝度むらを生じさせない。
【００１２】
本発明の照明装置（第二の照明装置）の実施態様として、次の構成が好ましい。
・前記位置決め部は、前記収容体又は前記導光板のいずれか一方に設けられた突部と、他方側に設けられ前記突部を嵌合させる受け部と、からなる。このようにすれば、突部を受け部に嵌合させるだけで導光板の位置が決まるので、位置決め作業を手間なく簡単に行うことが出来る。また、部品点数が増えないので、コストメリットが高い。
【００１３】
・前記位置決め部を、前記導光板の前記中央部であって、液晶表示パネルの表示領域の外側に設けるようにする。このような構成であれば、表示領域から位置決め部を外すことが可能となるので、表示性能への影響がほぼない。
【００１４】
また、本発明の両照明装置（第一、第二の照明装置）の実施態様として、次の構成が好ましい。
【００１５】
・前記光源装置を前記中心線に平行に延びる基板上に、前記光源対を構成する前記点状光源を一列状に配置した点状光源アレイとする。このようにすれば、複数の点状光源を収容体に一括して組み付けることが可能となり、組み付け作業性がよい。
【００１６】
・前記点状光源アレイを前記収容体に取り付ける構成とする。このようにすれば、点状光源アレイと導光部材（又は導光板）の両部材が、共通の部材（収容体）に取り付けられることになるから、点状光源アレイと導光部材（又は導光板）との位置決めを高精度に行うことが可能となる。
【００１７】
・前記基板上に前記点状光源の光を反射させる反射部材が設ける構成とする。このようにすれば、点状光源から出射された光の、導光部材に対する入射効率を高めることができる。また、反射部材は反射シート（発泡ＰＥＴ反射シート、多層膜反射シートなど）又は、光を反射するレジストにすることが好ましい。
【００１８】
・前記点状光源を白色発光ダイオードにする。このようにすれば、点状光源の長寿命化及び低消費電力化を図ることができる。
【００１９】
・前記白色発光ダイオードは、青色に発光する発光チップと、前記発光チップの周囲に形成され黄色の領域に発光ピークを持つ蛍光体層と、を含む構成とすることが出来る。このような構成であれば、白色発光ダイオードをワンチップ化できる。また、前記白色発光ダイオードは、青色に発光する発光チップと、前記発光チップの周囲に形成され緑色の領域及び赤色の領域に発光ピークを持つ蛍光体層とを含む構成とすることが出来る。また、前記白色発光ダイオードは、青色に発光する発光チップと、前記発光チップの周囲に形成され緑色の領域に発光ピークを持つ蛍光体層と、赤色に発光する発光チップと、を含む構成とすることが出来る。
【００２０】
・また、前記白色発光ダイオードは、青色に発光する発光チップと、緑色に発光する発光チップと、赤色に発光する発光チップと、を含む構成とすることが出来る。この構成によると、色調が全体として平均化され、ほぼ均一な色調の照明光を得ることができる。
【００２１】
・更に、また、前記白色発光ダイオードは、紫外光を発光する発光チップと、前記発光チップの周囲に形成された蛍光体層と、を含む構成としてもよく、この場合、前記蛍光体層は、青色の領域と緑色の領域と赤色の領域に発光ピークを持つ構成とすることが好ましい。このようにすれば、色調が全体として平均化され、ほぼ均一な色調の照明光を得ることができる。
【００２２】
また、本発明の表示装置は上記照明装置と、前記照明装置からの光を利用して表示を行う液晶表示パネルとを備える。更に、本発明のテレビ受信装置は、前記表示装置を備える。このような表示装置は、例えばテレビやパソコンのディスプレイ等に適用でき、特に大型画面用として好適である。
【００２３】
（発明の効果）
本発明によれば、輝度むらのない照明装置を提供することが出来る。また、その照明装置を用いた表示装置、テレビ受信装置を提供することができる。
【図面の簡単な説明】
【００２４】
【図１】本発明の実施形態１に係るテレビ受信装置の概略構成を示す分解斜視図
【図２】テレビ受信装置が備える表示装置の概略構成を示す分解斜視図
【図３】ＬＥＤアレイと導光ブロックの位置関係を示す照明装置の平面図
【図４】ＬＥＤ（発光ダイオード）の構成を示す断面図
【図５】ＬＥＤ（発光ダイオード）の構成を示す断面図
【図６】ＬＥＤ（発光ダイオード）の構成を示す断面図
【図７】ＬＥＤアレイの斜視図
【図８】図３を中心線Ｌｃにて切断した断面図
【図９】表示装置を水平に切断した断面図
【図１０】本発明の実施形態２に係る位置決め部の構成を示す断面図
【図１１】本発明の実施形態３に係る表示装置の概略構成を示す分解斜視図
【図１２】ＬＥＤアレイと導光ブロックの位置関係を示す照明装置の平面図
【図１３】図１２を中心線Ｌｃにて切断した断面図
【図１４】光源装置の変形例を示す平面図
【図１５】照明装置の従来構造を示す平面図
【発明を実施するための形態】
【００２５】
＜実施形態１＞
本発明の実施形態１を図１〜図９によって説明する。本実施形態に係るテレビ受信装置ＴＶは、図１に示すように、表示装置１０と、当該表示装置１０を挟むようにして収容する表裏両キャビネットＣａ，Ｃｂと、電源ＰＷと、チューナーＴと、スタンドＳとを備えて構成される。
【００２６】
表示装置１０は全体として横長な長方形型をしており、表示パネルである液晶パネル１１と、外部光源である照明装置２１とを備えてなる。尚、以下の説明において、表示装置１０の横幅方向（長手方向）をＸ方向、表示装置１０の高さ方向（短手方向）をＹ方向、表示装置１０の奥行き方向をＺ方向として説明を行う。また、中心線Ｌｃとは、液晶表示パネル１１のＸ方向の中心を通りＹ方向に延びる直線を指すものとする（図３）。
【００２７】
液晶パネル１１は図２に示すように、横長な長方形型をしている。液晶パネル１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。尚、両基板の外側には偏光板が配されている。
【００２８】
照明装置２１は図２にて示すように、導光板３０と、光源装置Ｕを構成するＬＥＤアレイ（本発明の「点状光源アレイ」の一例）４０Ｒ、４０Ｌと、光学シート８０と、これらを収容するシャーシ（本発明の「収容体」の一例）６０と、押さえ部材９０と、を備えている。
【００２９】
シャーシ６０は金属製であって横長な長方形型をしており、中心線Ｌｃに対して左右対称な形状になっている。シャーシ６０は、底板６１と底板６１の各辺の外端からそれぞれ立ち上がる側板６５からなり、表示面側である表面側に向けて開口する浅い箱型をなす（図３参照）。
【００３０】
そして、シャーシ６０に形成された側板６５のうち、Ｘ方向の両側板６５Ｒ、６５Ｌは取り付け面となっており、各側板６５Ｒ、６５Ｌの内面壁には、発光面を内に向けて、ＬＥＤアレイ４０Ｒ、４０Ｌが取り付けられている。
【００３１】
具体的に説明すると、ＬＥＤアレイ４０Ｒ、４０Ｌは基板４１と、基板４１上に実装されるＬＥＤ（本発明の「点状光源」の一例）４５とからなる。基板４１は、シャーシ６０と同じアルミ系材料などの金属製とされ、その表面に絶縁層を介して銅箔などの金属膜からなる配線パターン（図示せず）が形成された構成とされる。
【００３２】
基板４１は、図３に示す中心線Ｌｃに沿って平行に延びており、表面には一定間隔でＬＥＤ（発光ダイオード／Light Emitting Diode）４５が一列状に複数個（この例では、５つ）配置されている。
【００３３】
上記ＬＥＤアレイ４０Ｒ、４０Ｌは、図３にて示すように、中心線Ｌｃから等距離に配置されている。そして、ＬＥＤアレイ４０Ｒ、４０Ｌに実装された各ＬＥＤ４５は投光軸Ｃを向かい合わせており、左右に向き合う２つのＬＥＤ４５が光源対Ｐを構成している。すなわち、この例では５組のＬＥＤ４５が向き合っているから、Ｐ１〜Ｐ５の５組の光源対Ｐが形成されている。
【００３４】
ＬＥＤ４５は、図４にて示すように青色、緑色、赤色に発光する３組の発光チップ４６Ｂ、４６Ｇ、４６Ｒを横並び状に配置して、それを透明樹脂４９にて封止したものであり、平面視は矩形型をしている。係るＬＥＤ４５は、３組の発光チップ４６Ｂ、４６Ｇ、４６Ｒを同時点灯させると三色が混合し、白色発光する。
【００３５】
また、ＬＥＤ４５の構成は、上記の他にも、青色に発光する発光チップ４６Ｂと、その周囲に形成され発光チップ４６Ｂを覆う蛍光体層４８とから構成することが可能である。蛍光体層４８は、例えば、透明樹脂やバインダに蛍光剤粒子を分散させたものであり、青色の補色にあたる黄色の領域に発光ピークを持つ。蛍光体層４８は発光チップ４６Ｂを発光させると、蛍光剤粒子が励起して、黄色に発光する。そのため、青色と黄色の混合により、ＬＥＤ４５は白色発光する（図５参照）。
【００３６】
また、この他にも、ＬＥＤ４５は、青色に発光する発光チップ４６Ｂと、その周囲に形成された次の蛍光体層４８とから構成することが出来る。蛍光体層４８は、透明樹脂やバインダに蛍光剤粒子を含有させたものであり、緑色と赤色の領域にそれぞれ発光ピークを持つ。このような構成であれば、各色（青、緑、赤）の混合により、ＬＥＤ４５は、白色発光する（図５参照）。
【００３７】
また、この他にも、ＬＥＤ４５は、紫外光を発光する発光チップ４６Ｐと、その周囲に形成され発光チップ４６Ｐを覆う蛍光体層４８とから構成することが可能である（図６参照）。蛍光体層４８は、透明樹脂やバインダに蛍光剤粒子を分散させたものであり、青色の領域と緑色の領域と赤色の各領域にそれぞれ発光ピークを持つ。この構成では、発光チップ４６Ｐを発光させると、蛍光剤粒子が励起され、蛍光体層４８が青、緑、赤の三色に発光するので、これら三色の混合により、ＬＥＤ４５は白色発光することとなる。
【００３８】
また、図７に示すように、基板４１の表面には反射シート（本発明の「反射部材」の一例）４２が配設されている。反射シート４２は、基板４１の長手方向の全長に亘って形成されており、基板表面のうちＬＥＤ４５の配置位置を除く領域を隙間なく覆う構成となっている。この反射シート４２はＬＥＤ４５から出射された光を、次に説明する導光板３０側に反射させる機能を果たすものである。
【００３９】
尚、反射シート４２には、発泡ＰＥＴ反射シートや多層膜反射シートなどを使用することが可能である。発泡ＰＥＴ反射シートとは、樹脂基材に白色の発泡ＰＥＴ（ポリエチレンテレフタレート）を使用した反射シートである。また、多層膜反射シートＥＳＲ（Enhanced Specular Reflector）とは、ポリエステル系樹脂を用いた多層膜構造により可視光範囲において高い反射率を有する反射シートである。
【００４０】
次に、シャーシ６０の底板６１は平坦面となっており、その中央部には、光出射面である表面Ｆを上に向けた状態で導光板３０が配置されている。導光板３０は入射した光を、光出射面である表面Ｆ側に導光させるものである。導光板３０は、光源対Ｐが５組あることに対応して、５つの導光ブロック（本発明の「導光部材」の一例）３１〜３５に分割されている。各導光ブロック３１〜３５は、透明度の高い樹脂（アクリル等）により形成される。各導光ブロック３１〜３５は、投光軸Ｃ方向に延びる角柱形状をしており、裏面Ｂ側には反射シート３７を貼り合わせている。
【００４１】
５つの導光ブロック３１〜３５は同一形状（全長も同じ長さ）であり、全長はＬＥＤ間の対面距離Ｌｐに比べて短く設定されている（図３参照）。各導光ブロック３１〜３５は、軸線を投光軸Ｃに沿わせるようにして、光源対Ｐの間に横向きに配置してあり、左右の端面（光の入射面）Ｅが、光源対Ｐを構成する左右のＬＥＤ４５にそれぞれ向き合っている。
【００４２】
そして、各導光ブロック３１〜３５は、次に説明する位置決め部Ｓにより、長手方向の中央部を中心線Ｌｃ上に位置決めされる構成となっている。具体的に説明すると、シャーシ６０の底板６１であって、光源対Ｐの中間位置にあたる中心線Ｌｃ上には、５つの突部７１〜７５が一列状に設けられている。これら５つの突部７１〜７５は円柱状をしており、導光ブロック３１〜３５側に突出している。尚、突部７１〜７５は、シャーシ６０の底板６１に対して一体的に形成するもの、別体にするものいずれの構成であってもよい。
【００４３】
一方、各導光ブロック３１〜３５の裏面Ｂであって長手方向の中央部には、突部７１〜７５の相手となる受け部３１Ａ〜３５Ａが形成されている。受け部３１Ａ〜３５Ａは突部７１〜７５の形状に対応した円形状の窪みであり、突部７１〜７５を隙間なく嵌合させる構成となっている（図８参照）。
【００４４】
以上のことから、突部７１〜７５に受け部３１Ａ〜３５Ａを嵌合させることで、図３にて示すように、導光ブロック３１〜３５は長手方向の中央部を中心線Ｌｃ上に位置決めされ、中心線Ｌｃを中心とした左右の長さｍｒ、ｍｌが等しい状態になる。よって、導光ブロック３１〜３５の右側の端面ＥからＬＥＤ４５までの距離（隙間）Ｄｒと、導光ブロックの左側の端面ＥからＬＥＤ４５までの距離（隙間）Ｄｌが等しくなる。
【００４５】
そして、５つの導光ブロック３１〜３５の全長は同一であるから、ＬＥＤ４５までの距離Ｄｒと距離Ｄｌは、全ての導光ブロック３１〜３５について同じ距離になる。尚、ＬＥＤ４５と導光ブロック３１〜３５の端面Ｅとの間に隙間を設けてあるのは、導光ブロック３１〜３５の熱収縮を見込んだためであり、両間の距離Ｄｒ、Ｄｌは、導光ブロック３１〜３５の全長が最長になったときに、ＬＥＤ４５と端面Ｅとの間に一定の隙間が確保されるような寸法設定にしてある。
【００４６】
次に、位置決め部ＳとＬＥＤ４５のＹ方向の位置関係について説明すると、位置決め部Ｓは図３、図８に示すように、各導光ブッロク３１〜３５の下縁に寄せて位置しており、ＬＥＤ４５の正面を避ける位置関係、言い換えると導光ブロック３１〜３５の各々を挟む光源対Ｐを構成する左右のＬＥＤ４５，４５を結ぶ線上を避ける位置関係となっている。
【００４７】
尚、参考までに説明しておくと、図３上では、各導光ブロック３１〜３５が分離していることを分かり易くするため、各導光ブロック３１〜３５間に隙間を設けた図にしてあるが、各導光ブロック３１〜３５はほぼ密着している。
【００４８】
図２に戻って説明を続けると、光学シート８０は液晶パネル１１と同様に横長な長方形型をしており、薄いシート状をしている。光学シート８０の種類としては、例えば拡散シート、レンズシート、反射型偏光シートなどがあり、これらの中から適宜に選択して使用することが可能である。係る光学シート８０は導光板３０の表面Ｆ側に重ねて配置され、導光板３０の表面Ｆをその全面に渡って覆う構成となっている。
【００４９】
次に、押さえ部材９０は、図２に示すように導光板３０の外周端部に沿って延在する枠状に形成されている。押さえ部材９０は、合成樹脂製（遮光性の高い黒色系のもの）であって、断面Ｌ字型をなす。係る押さえ部材９０は、シャーシ６０に被せ付けるように装着されており、押さえ部材９０の側壁９５がシャーシ６０の側板６５の外側に嵌り、前面壁９１が導光板３０を構成する各導光ブロック３１〜３５の外周縁部に重なる構成となっている。これにより、導光ブロック３１〜３５を、奥行き方向（Ｚ方向）に位置規制することが出来る。
【００５０】
また、押さえ部材９０の表面側には、前面壁９１に外周縁部を重ねるようにして液晶パネル１１を配置されている。そして、液晶パネル１１の表面側から枠状のベゼル１３が装着されることにより、照明装置２１に対して液晶パネル１１が一体的に保持される構成となっている。
【００５１】
上記の照明装置２１は、液晶パネル１１側の画像の書き込み（画素に対する画像の書き込み）と同期をとって光源対Ｐが点灯制御（いわゆるバックライトスキャン）される構成となっている。そして、画像の書き込み位置に対応した光源対Ｐを点灯（具体的には、光源対Ｐを構成する左右のＬＥＤ４５を同時点灯）させると、その光は、導光ブロック３１〜３５の端面Ｅに入射し、その後、乱射しながら導光ブロック３０の内を進む。そして、導光ブロック３０の裏面Ｂに設けられた反射シート３７によって光出射面である表面Ｆ側に反射する。
【００５２】
これにより、画像書き込み位置に対応した位置に対応する導光ブロック３１〜３５の表面Ｆが強く発光して、液晶パネル１１（具体的には画像書き込み位置）を背面側から照らす。一方、それ以外のところでは、光源対Ｐは消灯された状態にあり、照明は点灯されない。このようにすることで、画像の尾引き現象を抑えることが可能となり、画質を高めることが可能となる。
【００５３】
次に、効果説明を行う。本表示装置１０によると、導光ブロック３１〜３５の長手方向の中央部を中心線Ｌｃ上に位置決めしている。そのため、ＬＥＤ４５から導光ブロック３１〜３５の端面Ｅまでの距離Ｄｒ、Ｄｌが、左右両側で同じ距離になる。しかも、ＬＥＤ４５の発熱に伴い導光ブロック３１〜３５は熱収縮するが、位置決めした中央部を境にした左右両側が同じように収縮するから、ＬＥＤ４５から端面Ｅまでの距離Ｄｒ、Ｄｌは、左右両側で不均一にならず、常に同じ距離に保たれる。そのため、ＬＥＤ４５を点灯させたときに各導光ブロック３１〜３５は中心線Ｌｃを境にした左右両側が常に均一に発光することとなり、輝度むらを生じさせない。
【００５４】
また、本表示装置１０では、ＬＥＤアレイ４０Ｒ、４０Ｌと導光ブロック３１〜３５の両部材を、共通の部材（収容体であるシャーシ６０）に取り付けるようにしている。そのため、ＬＥＤアレイ４０Ｒ、４０Ｌと導光ブロック３１〜３５との位置決めを高精度に行うことが可能となる。このような構成であれば、距離Ｄｒ、Ｄｌに誤差が生じ難くなるので、輝度むらが一層生じ難くなる。
【００５５】
また、本表示装置１０では、位置決め部Ｓは、ＬＥＤ４５の正面を避けて、各導光ブッロク３１〜３５の下縁側に設けられている。このような構成であれば、投光軸Ｃ上から位置決め部Ｓが外れる。位置決め部Ｓでは、それがない場合に比べて、光の反射具合が少なからず変わるから、仮に、位置決め部Ｓを投光軸Ｃ上に設けておくと、その影響が無視できなくなり、照明の性能に影響を与える恐れがあるが、本構成であれば、そのような心配がない。
【００５６】
また、本表示装置１０では、位置決め部を突部７１〜７５と受け部３１Ａ〜３５Ａとから構成しており、両者を嵌合させるだけで、導光ブロック３１〜３５の位置が決まるので、位置決め作業を手間なく簡単に行うことが出来る。また、部品点数が増えないので、コストメリットが高い。
【００５７】
また、本表示装置１０では、光源にＬＥＤ（発光ダイオード）を用いている。このようにすれば、光源の長寿命化及び低消費電力化を図ることができる。また、本表示装置１０では、ＬＥＤアレイ４０Ｒ、４０Ｌを構成する各基板４１上に反射シート４２を設けている。このようにすれば、ＬＥＤ４５から出射された光の、導光ブロック３１〜３５に対する入射効率を高めることができる。
【００５８】
＜実施形態２＞
次に、本発明の実施形態２を図１０によって説明する。実施形態１では、位置決め部Ｓとして、シャーシ６０側に突部７１〜７５を設ける一方、導光ブロック３１〜３５側に突部７１〜７５を嵌合させる受け部３１Ａ〜３５Ａを設けたものを例示した。
【００５９】
実施形態２のものは、実施形態１に対して位置決め部Ｓの構成を反転させたものであり、図１０にて示すように、導光ブロック１３１〜１３５側に突部１３１Ａ〜１３５Ａを設ける一方、シャーシ６０の底板６１に突部１３１Ａ〜１３５Ａを嵌合させる受け部（孔）１２１〜１２５を設ける構成としている。
【００６０】
このような構成であれば、シャーシ６０側の受け部１２１〜１２５に、導光ブロック１３１〜１３５の突部１３１Ａ〜１３５Ａを嵌合させることで、各導光ブロック１３１〜１３５の長手方向の中央部を中心線Ｌｃ上に位置決めできる。そのため、ＬＥＤ４５から導光ブロック１３１〜１３５の端面Ｅまでの距離Ｄｒ、Ｄｌを、左右両側で同じ距離にすることが可能となり、実施形態１と同様の効果（輝度むらの低減）を奏することが可能である。
【００６１】
＜実施形態３＞
次に、本発明の実施形態３を図１１ないし図１３によって説明する。実施形態１では、照明装置２１の構成例として、導光板３０を複数個の導光ブロック３１〜３５に分割した構成のものを例示した。実施形態３の照明装置２２１は導光板２３０を分割せず単一枚の平板から構成している点と、位置決め部Ｓの設置位置を変更している点が、実施形態１と相違しており、それ以外の構成（光源装置Ｕ、シャーシ６０など）は、実施形態１と同じ構成となっている。
【００６２】
変更点について具体的に説明すると、図１１、図１２に示すように、導光板２３０は、透明度の高い樹脂（アクリル等）により形成され、液晶パネル１１とほぼ同形の横長な長方形型となっている。導光板２３０の全長ＬはＬＥＤ間の対面距離Ｌｐに比べて短く設定されており、また、裏面Ｂ側には反射シート２３５を貼り合わせてある。
【００６３】
導光板２３０は、シャーシ６０の底板６１の中央に、表面Ｆを上に向けて配置されている。具体的には、図１２に示すように、左右の端面（光の入射面）Ｅを左右のＬＥＤ４５に向き合わせつつ、光源対Ｐの間に配置してある。そして、導光板２３０は、次に説明する位置決め部Ｓにより、長手方向（Ｘ方向）の中央部を中心線Ｌｃ上に位置決めされる構成となっている。
【００６４】
詳しく説明すると、シャーシ６０の底板６１であって、光源対Ｐの中間位置にあたる中心線Ｌｃ上には、２つの突部１７１、１７２が設けられている。具体的には、中心線Ｌｃ上であって、Ｙ方向の上下両端に位置して設けられている。これら突部１７１〜１７２は円柱状をしており、導光板２３０側に突出している。尚、突部１７１、１７２は、シャーシ６０の底板６１に対して一体的に形成するもの、別体にするものいずれの構成であってもよい。
【００６５】
一方、導光板２３０の裏面Ｂであって長手方向の中央部には、突部１７１、１７２の相手となる受け部２３１〜２３２が形成されている。受け部２３１、２３２は、導光板２３０の中央部であってＹ方向の両端に位置している。係る受け部２３１、２３２は、突部１７１、１７２の形状に対応した円形状の窪みであり、突部１７１、１７２を隙間なく嵌合させる構成となっている（図１３参照）。
【００６６】
以上のことから、突部１７１に受け部２３１を嵌合させ、突部１７２に受け部２３２を嵌合させることで、図１２にて示すように、導光板２３０は長手方向（Ｘ方向）の中央部を中心線Ｌｃ上に位置決めされ、中心線Ｌｃを中心とした左右の長さｍｒ、ｍｌが等しい状態になる。よって、導光板２３０の右側の端面ＥからＬＥＤ４５までの距離（隙間）Ｄｒと、導光板２３０の左側の端面ＥからＬＥＤ４５までの距離（隙間）Ｄｌが等しくなる。
【００６７】
このような構成であれば、実施形態１の場合と同様の効果が得られる。すなわち、ＬＥＤ４５の発熱に伴い導光板２３０は熱収縮するが、位置決めした中央部を境にした左右両側が同じように収縮するから、ＬＥＤ４５から端面Ｅまでの距離Ｄｒ、Ｄｌは、左右両側で不均一にならず、常に同じ距離に保たれる。そのため、ＬＥＤ４５を点灯させたときに導光板２３０は中心線Ｌｃを境にした左右両側が常に均一に発光することとなり、輝度むらを生じさせない。
【００６８】
また、位置決め部Ｓの位置は、液晶表示パネルの表示領域（図１２中にて二点鎖線で示す四角のエリア）Ｈの外側にすることが好ましい。この実施形態では、位置決め部ＳをＹ方向の両端に振り分けて配置することで、表示領域Ｈを外す構成となっている。このようにすれば、位置決め部Ｓが表示性能に影響を及ぼすことがない。
【００６９】
また、位置決め部Ｓが表示領域Ｈを外れるということは、ＬＥＤ４５からも外れることになる。そのため、ＬＥＤアレイ４０Ｒ、４０Ｌの取り付け位置を、位置決め部Ｓとの関係に注意を払って、その位置を決める必要がなくなる。従って、レイアウトの自由度が増す。
【００７０】
尚、導光板２３０を単一枚の平板により構成する照明装置は、バックライトスキャンを行うことは出来ない。そのため、光源装置Ｕに必ずしも点状光源（ＬＥＤ）を用いる必要はなく、これに変えて、冷陰極管などの線状光源を使用することが可能である。
【００７１】
また、この実施形態では、位置決め部Ｓとして、シャーシ６０側に突部１７１、１７２を設ける一方、導光板２３０側に受け部２３１、２３２を設けたものを例示した。
【００７２】
位置決め部Ｓの構成は反転させることが可能であり、導光板２３０側に突部を設ける一方、シャーシ６０の底板６１に突部を嵌合させる受け部（孔）を設けるようにしてもよい。
【００７３】
＜他の実施形態＞
本発明は上記記述及び図面によって説明した実施形態に限定されるものではなく、例えば次のような実施形態も本発明の技術的範囲に含まれる。
【００７４】
（１）実施形態１〜３では、位置決め部Ｓを構成する突部（７１〜７５、１３１Ａ〜１３５Ａ、１７１、１７２）と、受け部（３１Ａ〜３５Ａ、１２１〜１２５、２３１、２３２）をいずれも円形にしたものを例示したが、両者（突部と受け部）が嵌合可能であればよく、円形以外の形状、例えば、矩形にすることも可能である。
【００７５】
（２）実施形態１〜２では、１対のＬＥＤ４５により光源対Ｐを構成したものを例示したが、光源対Ｐは、ＬＥＤ４５が対になっていればよく、図１４に示すように、複数対（図中では３対）のＬＥＤ４５から構成することが可能である。
【００７６】
（３）実施形態１〜３では、点状光源の例としてＬＥＤ４５を挙げたが、この他にもフィラメントをもつ白熱電球などを用いることが可能である。
【００７７】
（４）実施形態１〜３では、本発明の「反射部材」の例として反射シート（発泡ＰＥＴ反射シート、多層膜反射シートなど）を挙げたが、反射シート４２に変えて基板４１の表面上に、酸化チタンやチタン酸バリウム、又はポリカーボネートなどの高光反射性材料を含む白色ソルダーレジストを塗布してもよい。尚、この場合、反射シートに比べて厚さを薄くできる。
【００７８】
（５）上記した実施形態１〜３では、表示装置（液晶表示装置）のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００７９】
（６）上記した各実施形態では、チューナーを備えたテレビ受信装置を例示したが、チューナーを備えない表示装置にも本発明は適用可能である。
【００８０】
（７）ＬＥＤ４５は、実施形態１で挙げたもの以外でも、白色に発光するものであれば、使用することが可能であり、次のものが使用できる。
【００８１】
ＬＥＤ４５は、青色に発光する発光チップ４６Ｂと、発光チップ４６Ｂの周囲に形成され緑色の領域に発光ピークを持つ蛍光体層４８と、赤色に発光する発光チップ４６Ｒと、をから構成される。このような構成としておけば、各色（青、緑、赤）の混合により、ＬＥＤ４５は、白色発光する。
【符号の説明】
【００８２】
１０…表示装置、１１…液晶パネル、２１…照明装置、３０…導光板、３１〜３５…導光ブロック（本発明の「導光部材」の一例）、３１Ａ〜３５Ａ…受け部、４０Ｒ、４０Ｌ…ＬＥＤアレイ（本発明の「点状光源アレイ」の一例）、４１…基板、４２…反射シート（本発明の「反射部材」の一例）、４５…ＬＥＤ（本発明の「点状光源」の一例）、６０…シャーシ（本発明の「収容体」の一例）、６１…底板、６５Ｒ、６５Ｌ…側板、７１〜７５…突部、ＴＶ…テレビ受信装置、Ｐ１〜Ｐ５…光源対、Ｓ…位置決め部、Ｕ…光源装置
【図１】
2011086789.tif 000003
【図２】
2011086789.tif 000004
【図３】
2011086789.tif 000005
【図４】
2011086789.tif 000006
【図５】
2011086789.tif 000007
【図６】
2011086789.tif 000008
【図７】
2011086789.tif 000009
【図８】
2011086789.tif 000010
【図９】
2011086789.tif 000011
【図１０】
2011086789.tif 000012
【図１１】
2011086789.tif 000013
【図１２】
2011086789.tif 000014
【図１３】
2011086789.tif 000015
【図１４】
2011086789.tif 000016
【図１５】
2011086789.tif 000017
【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
中心線から等距離にあって投光軸を向かい合わせて配置された点状光源の対からなる光源対を、前記中心線に沿って複数組配置してなる光源装置と、
前記各光源対に対応して個々に設けられると共に、長手方向の両端面を前記点状光源に向かい合わせるようにして前記光源対の間に配置された複数の導光部材と、
前記光源装置と前記複数の導光部材とを収容する収容体と、
前記各導光部材の長手方向の中央部を前記中心線上に位置決めする位置決め部と、を備える照明装置。
【請求項２】
前記位置決め部は、前記収容体又は前記導光部材のいずれか一方に設けられた突部と、他方側に設けられ前記突部を嵌合させる受け部と、からなる請求項１に記載の照明装置。
【請求項３】
前記位置決め部は、前記導光部材の前記中央部であって、前記点状光源の正面を避けた位置に設けられている請求項１又は請求項２に記載の照明装置。
【請求項４】
前記光源装置は、前記中心線に平行に延びる基板上に、前記光源対を構成する前記点状光源を一列状に配置した点状光源アレイである請求項１から請求項３のいずれか一項に記載の照明装置。
【請求項５】
中心線から等距離にあって向かい合わせて配置された光源の対からなる光源対を、前記中心線に沿って配置してなる光源装置と、
長手方向の両端面を前記光源に向かい合わせるようにして前記光源対の間に配置された単一枚の導光板と、
前記光源装置と前記導光板とを収容する収容体と、
前記導光板の長手方向の中央部を前記中心線上に位置決めする位置決め部とを備え、
前記位置決め部は、前記収容体又は前記導光板のいずれか一方に設けられた突部と、他方側に設けられ前記突部を嵌合させる受け部と、からなり、
前記光源は、点状光源とされ、
前記光源装置は、前記中心線に平行に延びる基板上に、前記光源対を構成する前記点状光源を一列状に配置した点状光源アレイである照明装置。
【請求項６】
前記点状光源アレイは、前記収容体に取り付けられている請求項５に記載の照明装置。
【請求項７】
前記基板上には、前記点状光源の光を反射させる反射部材が設けられている請求項５又は請求項６に記載の照明装置。
【請求項８】
前記反射部材は、発泡ＰＥＴ反射シートであることを特徴とする請求項７に記載の照明装置。
【請求項９】
前記反射部材は、多層膜反射シートであることを特徴とする請求項７に記載の照明装置。
【請求項１０】
前記反射部材は、光を反射するレジストであることを特徴とする請求項７に記載の照明装置。
【請求項１１】
前記点状光源は、白色発光ダイオードである請求項１から請求項１０のいずれか1項に記載の照明装置。
【請求項１２】
前記白色発光ダイオードは、青色に発光する発光チップと、前記発光チップの周囲に形成され黄色の領域に発光ピークを持つ蛍光体層と、を含む請求項１１に記載の照明装置。
【請求項１３】
前記白色発光ダイオードは、青色に発光する発光チップと、前記発光チップの周囲に形成され緑色の領域と赤色の領域にそれぞれ発光ピークを持つ蛍光体層と、を含む請求項１１に記載の照明装置。
【請求項１４】
前記白色発光ダイオードは、青色に発光する発光チップと、前記発光チップの周囲に形成され緑色の領域に発光ピークを持つ蛍光体層と、赤色に発光する発光チップと、を含む請求項１１に記載の照明装置。
【請求項１５】
前記白色発光ダイオードは、青色に発光する発光チップと、緑色に発光する発光チップと、赤色に発光する発光チップと、を含む請求項１１に記載の照明装置。
【請求項１６】
前記白色発光ダイオードは、紫外光を発光する発光チップと、前記発光チップの周期に形成され青色の領域と緑色の領域と赤色の領域にそれぞれ発光ピークを持つ蛍光体層と、を含む請求項１１に記載の照明装置。
【請求項１７】
請求項１ないし請求項１６のいずれか一項に記載の照明装置と、
前記照明装置からの光を利用して表示を行う液晶表示パネルと、を備える表示装置。
【請求項１８】
請求項１７に記載の表示装置を備えるテレビ受信装置。
【国際調査報告】
2011086789.tif 000018
2011086789.tif 000019
2011086789.tif 000020
2011086789.tif 000021